(57)【要約】【課題】盗難防止用施錠具において、機器の錠孔に係着する鉤爪部材の強度を保つと共に、錠孔部分に間隙が生じないようにし、さらに、鉤爪部材の開閉動作を簡単な構造で実現した施錠具を提案する。【解決手段】機器の錠孔に係着可能な一対の鉤爪部材と、この一対の鉤爪部材の開閉機構とを装着可能とすると共に、前記開閉機構を作動させるシリンダー錠を内装する施錠具本体と、前記施錠具本体に取り付け、縛索部材を取り付ける突出部分を設けた縛索部材取付具と、前記施錠具本体に嵌着して前記鉤爪部材とその開閉機構を挟定、保持する分割可能なカバー部材と、前記カバー部材を一体に固定する止めリングとで盗難防止用施錠具を構成し、鉤爪部材は、中央部分を折曲したくの字形状を有する断面矩形の棒状体とするという手段を採用した。【選択図】図２
2010229724.tif 000002
【特許請求の範囲】
【請求項１】
機器の錠孔に係着可能な一対の鉤爪部材と、この一対の鉤爪部材の開閉機構とを装着可能とすると共に、前記開閉機構を作動させるシリンダー錠を内装する施錠具本体と、
前記施錠具本体に取り付け、縛索部材を取り付ける突出部分を設けた縛索部材取付具と、
前記施錠具本体に嵌着して前記鉤爪部材とその開閉機構を挟定、保持する分割可能なカバー部材と、
前記カバー部材を一体に固定する止めリングと、
を備えたことを特徴とする盗難防止用施錠具。
【請求項２】
上記カバー部材は、前記鉤爪部材の先端側が挿通する角穴を有すると共に先端部内側に鉤爪部材を支承する軸受部を有し、上記カバー部材を覆って嵌着するキャップは前記カバー部材の先端部及び鉤爪部材が突出する挿通窓を有する請求項１記載の盗難防止用施錠具。
【請求項３】
上記鉤爪部材は、中央部分を折曲したくの字形状を有する断面矩形の棒状体であり、その中央部分側面には回動軸部を突設すると共に、一方の先端部分に鉤爪を設けてなり、対となる鉤爪部材のそれぞれのくの字形状の山側面を互いに接合し、上記カバー部材の軸受部で上記回動軸部を支承した請求項１又は請求項２記載の盗難防止用施錠具。
【請求項４】
上記一対の鉤爪部材の後端側に適宜な手段でコイルばねを内装し、鉤爪を有する先端側が閉じた状態となるように後端側を開く方向に付勢している請求項１から請求項３のいずれか１項記載の盗難防止用施錠具。
【請求項５】
上記開閉機構は、少なくとも内周部分が断面楕円形状を有する楕円環と、この楕円環を内側に共回り可能に保持する円筒状の楕円環保持具からなり、その後端面にはシリンダー錠の回転軸が嵌入する方形凹部を設け、前記楕円環の内周部分に上記一対の鉤爪部材の後端側を挿入して鉤爪部材の開閉を規制している請求項１から請求項４のいずれか１項記載の盗難防止用施錠具。
【請求項６】
上記シリンダー錠の回転軸には一部を切欠したカム板を装着する一方、このシリンダー錠を内装する施錠具本体の本体ケースの先端には係止突起を設け、前記カム板が前記係止突起によって係止されることで、回転軸を嵌入した上記開閉機構の回転角度を規制した請求項１から請求項５のいずれか１項記載の盗難防止用施錠具。
【請求項７】
上記施錠具本体は略円筒状を有し、縛索部材取付具を回転自在に取り付けた請求項１から請求項６のいずれか１項記載の盗難防止用施錠具。
【発明の詳細な説明】
【技術分野】
【０００１】
この発明は、パーソナル・コンピュータなどの機器の盗難を阻止するため、これらの機器に予め穿設されている係止用の錠孔に係着するようにした盗難防止用施錠具に関するものである。
【背景技術】
【０００２】
デスクトップ型またはノートブック型のパーソナル・コンピュータは、一般店舗や各種展示会などにおいて、顧客が自由に操作できるような態様で展示されていることが多い。このような場合、盗難防止のため、本体やディスプレイ、キーボードなどの各種機器を移動不可能な展示台などに、ワイヤ等の縛索部材と施錠具で結びつけることが行われている。そのため、各種機器には、予め施錠具を係止するための錠孔が設けられている。
【０００３】
このような錠孔を利用して機器の盗難を防止するため、従来、特許文献１、２に示すように、種々の盗難防止のための錠装置が提案されている。
【０００４】
特許文献１に開示された施錠具は、ロック本体から一対の板状に形成された回り止め施錠腕が延出され、シリンダー錠と連設する板状の作動子を鍵操作によって回動させることで、上記一対の施錠腕の相互間が離反し、施錠腕の係止用自由端部がコンピュータ等の機器の錠孔に係着するようになっている。
【０００５】
また、特許文献２に開示された施錠具は、ボディケース内に互いに交差して揺動可能に設置された２つの鉤部材を備え、シリンダー錠の鍵操作によりロック棒が前進することで、２つの鉤部材の押当部を外側に向かって押し動かし、フック部を背離させてンピュータ等の機器の錠孔に係着するようになっている。
【先行技術文献】
【特許文献】
【０００６】
【特許文献１】特開平１１−１３３２７号公報
【特許文献２】特開２００８−４５３９４号公報
【発明の概要】
【発明が解決しようとする課題】
【０００７】
しかしながら、上記特許文献１に開示された施錠具のように、施錠腕の相互間に作動子を設ける場合、板状の作動子の回転によって施錠腕の開閉を行うには施錠腕自体に弾性が必要であるから、同文献に図示されているように、施錠腕は薄板状に形成する必要がある。この場合、ねじり方向の力に対して比較的弱く、無理やりに曲げられたり、切断されるおそれがあり、盗難防止用の施錠具としては強度的に不安が残るものであった。
【０００８】
また、特許文献２に開示されている施錠具のように、板状の鉤部材を互いに逆向きに交差して重ね合わせた構成では、機器の錠孔に係着している状態で、錠孔の鉤部材が重なり合わない部分に間隙が生じ、施錠具全体ががたつき、充分な施錠ができないという問題があり、さらに、その隙間にゴミが付着して係着に支障を生じる虞がある。また、鉤部材が重なり合って露出する態様であるから、鉤部材相互間に汚れが付着して開閉の動きが悪くなる虞がある。
【０００９】
本発明は、かかる課題を解決するためになされたものであり、鉤爪部材の幅を錠孔とほぼ同じ大きさにして強度を保つとともに、該錠孔部分に間隙が生じないようにし、さらに、鉤爪部材の開閉動作を比較的簡単で確実な構造で実現した施錠具を提案することを目的としている。
【課題を解決するための手段】
【００１０】
上述した課題を解決するため、本発明は、機器の錠孔に係着可能な一対の鉤爪部材と、この一対の鉤爪部材の開閉機構とを装着可能とすると共に、前記開閉機構を作動させるシリンダー錠を内装する施錠具本体と、前記施錠具本体に取り付け、縛索部材を取り付ける突出部分を設けた縛索部材取付具と、前記施錠具本体に嵌着して前記鉤爪部材とその開閉機構を挟定、保持する分割可能なカバー部材と、前記カバー部材を一体に固定する止めリングとで盗難防止用施錠具を構成するという手段を採用した。
【００１１】
かかる構成の施錠具は、シリンダー錠を操作することにより、開閉機構を介して鉤爪部材の開閉を行い、機器の錠孔に係着させて機器の盗難を阻止するものである。
【００１２】
このとき、上記カバー部材は、前記鉤爪部材の先端側が挿通する角穴を有すると共に先端部内側に鉤爪部材を支承する軸受部を有し、上記カバー部材を覆って嵌着するキャップは前記カバー部材の先端部及び鉤爪部材が突出する挿通窓を有するという構成を採用した。
【００１３】
この角穴は、シリンダー錠を回転させたときに、鉤爪部材が共回りしないようにするものである。
【００１４】
そして、上記鉤爪部材は、中央部分を折曲したくの字形状を有する断面矩形の棒状体であり、その中央部分側面には回動軸部を突設すると共に、一方の先端部分に鉤爪を設けてなり、対となる鉤爪部材のそれぞれのくの字形状の山側面を互いに接合し、上記カバー部材の軸受部で上記回動軸部を支承するという手段を採用した。
【００１５】
これにより、一対の鉤爪部材は、回動軸部を中心にシーソー状に回動し、先端側又は後端側が交互に開閉できるようになる。
【００１６】
また、上記一対の鉤爪部材の後端側に適宜な手段でコイルばねを内装し、鉤爪を有する先端側が閉じた状態となるように後端側を開く方向に付勢するという手段を採用した。
【００１７】
さらに、上記開閉機構は、少なくとも内周部分が断面楕円形状を有する楕円環と、この楕円環を内側に共回り可能に保持する円筒状の楕円環保持具からなり、その後端面にはシリンダー錠の回転軸が嵌入する方形凹部を設け、前記楕円環の内周部分に上記一対の鉤爪部材の後端側を挿入して鉤爪部材の開閉を規制するという手段を採用した。
【００１８】
これにより、楕円環の内周部分に挿入した一対の鉤爪部材の後端側が楕円環の短軸に位置するときは閉じた状態となり、楕円環を回転させ長軸に位置するときはコイルばねに付勢されて開いた状態となり、鉤爪部材の先端側を任意に開閉できる。
【００１９】
また、上記シリンダー錠の回転軸には一部を切欠したカム板を装着する一方、このシリンダー錠を内装する施錠具本体の本体ケースの先端には係止突起を設け、前記カム板が前記係止突起によって係止されることで、回転軸を嵌入した上記開閉機構の回転角度を規制するという手段を採用した。
【００２０】
また、上記施錠具本体は略円筒状を有し、縛索部材取付具を回転自在に取り付けるという手段を採用した。
【発明の効果】
【００２１】
上述した本発明に係る盗難防止用施錠具は、シリンダー錠を回転させることにより、連動する開閉機構の楕円環が回転し、鉤爪部材の開閉操作を行うことができるので、極めて簡単な動作で、確実に本施錠具を機器の錠孔に係着させることが可能となった。この場合、鉤爪部材の開閉動作は楕円環の楕円形状の短軸と長軸を利用して行うようにしている。そのため、構造が簡単であり、開閉動作は確実である。
【００２２】
また、鉤爪部材は一対のくの字形状の棒状体で構成するので、従来のように薄板で構成するものと異なり、極めて頑健であり容易に破損することがなく、施錠具として好ましいものである。また、その大きさは錠孔やカバー部材の角穴とほぼ同じ大きさとしているので、該部に隙間が生じることがなく、汚れ等の侵入を防止できると共に、鉤爪部材の動作を阻害することがなく、長期間にわたって、安定的に使用できる。
【図面の簡単な説明】
【００２３】
【図１】本発明に係る盗難防止用施錠具の全体斜視図で、（Ａ）は前方から見た場合、（Ｂ）は後方から見た場合を示している。
【図２】本発明に係る盗難防止用施錠具の一部分解斜視図である。
【図３】図２のうち、本体部分の拡大斜視図である。
【図４】図３の中央縦断面を示す斜視図である。
【図５】本発明に係る盗難防止用施錠具の一部分解斜視図である。
【図６】本発明に係る盗難防止用施錠具の別の一部分解斜視図である。
【発明を実施するための形態】
【００２４】
以下、本発明に係る盗難防止用施錠具の好ましい実施形態を、添付した図面に従って説明する。図１及び図２において、１は、下述する鉤爪部材６、６及びその開閉機構を装着可能とすると共に、シリンダー錠を内装した略円筒状の施錠具本体で、後端部分にシリンダー錠の鍵穴１ａを有している。２は、上記施錠具本体１の周面に回転自在に設けた縛索部材取付具で、その突出部分２ａに図示しない紐、ワイヤ、チェーン等の縛索部材を取り付けて、展示台等の固定物に縛着固定できるようにしたものである。なお、施錠具本体の外形形状は円筒状に限定するものではない。
【００２５】
３は、２分割できる段付き円筒状のカバー部材で、上記施錠具本体１に嵌着して下述する鉤爪部材６、６及びその開閉機構を挟定、保持するものであり、先端面には鉤爪部材６、６が挿通する角穴３ａを設け、下述する開閉機構が回転したときに鉤爪部材６、６が同時に回転しないようにしている。また、このカバー部材３の先端部内側には、上記鉤爪部材６、６の側面に設ける回動軸部６ａを支承する軸受部３ｂが凹設されている。なお、４は、この分割されたカバー部材３を一体に固定する止めリングであり、開閉機構が作動する際、一体に固定したカバー部材３が容易に外れないように、上記軸受部３ｂの外回りを補強している。５は、上記カバー部材３を覆って嵌着する円筒状のキャップである。このキャップには、上記カバー部材３の先端部及び鉤爪部材６、６が突出する挿通窓５ａを設けている。また、図示していないが、このキャップ５の内部には適宜なばねを内装し、キャップ５全体を先端側に付勢している。また、６、６は、下述する開閉機構により開閉可能として各種機器に設けられる錠孔に係着するようにした一対の鉤爪部材である。
【００２６】
次に、図３から図６に従って細部を説明すると、各図において、鉤爪部材６、６は、中央部分を折曲したくの字形状を有する断面矩形の棒状体であり、その中央部分側面には上記カバー部材３に設けた軸受部３ａに支承する回動軸部６ａ、６ａを突設するとともに、一方の先端部分には前述した各種機器の錠孔に係着する鉤爪６ｂ、６ｂを設けている。そして、対となる部材のそれぞれのくの字形状の山側面を互いに接合して上記カバー部材３内に挟定、保持することで、上記回動軸部６ａを中心に、それぞれがシーソー状に回動し、先端側又は後端側が交互に開閉するような動作を行う。これにより、後述するように、鉤爪６ｂを有する先端側を閉じて錠孔に挿入したうえで、これを開くことで機器の錠孔に係着して固定できる。なお、この一対の鉤爪部材６、６の後端側には適宜な手段でコイルばね７を内装し、鉤爪６ｂを有する先端側が常時閉じた状態となるように後端側を開く方向に付勢している。そして、この一対の鉤爪部材６、６及び下述する開閉機構が、上記分割されたカバー部材３の軸受部３ａで鉤爪部材６、６の回動軸部６ａ、６ａを支承しつつ挟定、保持されている。
【００２７】
８は、少なくとも内周部分８ａが断面楕円形状を有する楕円環で、該内周部分８ａに上記鉤爪部材６、６の後端側を重ねた状態で挿入している。９は上記楕円環８を内側に保持する円筒状の楕円環保持具であり、楕円環８の外周軸方向に突条８ｂを設ける一方、この楕円環保持具９の内周面にこの突条８ｂと対応する凹溝９ｂを設け、この凹溝９ｂに上記突条８ｂが嵌入するように楕円環８を装着する。また、楕円環保持具９の後端面には、方形凹部９ａが設けられており、下述するシリンダー錠の回転軸の先端をこの方形凹部９ａに嵌入させて回転させた際に楕円環８及び楕円環保持具９が共回りするようにしている。なお、この楕円環８と楕円環保持具９とで鉤爪部材６、６の開閉機構１０を形成し、上記カバー部材３内に挟定、保持する。
【００２８】
即ち、この開閉機構１０は、内側の楕円環８の内周部分８ａに鉤爪部材６、６の後端側を挿入し、かつ、鉤爪部材６、６の先端側はカバー部材３の角穴３ａで回転が規制されているので、鉤爪部材６、６の開閉方向に楕円形状の短軸が位置するとき、鉤爪部材６、６の後端側を内周部分８ａが押圧して、該後端側を閉じ、回動軸部６ａを中心に回動し、鉤爪６ａを有する先端側を開くことになる。一方、開閉機構１０を９０度回転させ、鉤爪部材６、６の開閉方向に楕円形状の長軸が位置するときは、鉤爪部材６、６の後端側が内装したコイルばね７に付勢されて開き、回動軸部６ａを中心に回動して鉤爪６ａを有する先端側は閉じることになる。これにより、鉤爪部材６、６の先端側が閉じたときに錠孔に挿入し、開閉機構１０を回転させて先端側を開くようにすれば、この施錠具は各種機器の錠孔に確実に係着させることができる。なお、上記開閉機構１０の動作中に角穴３ａに負荷かが掛かるが、一体に固定したカバー部材３の先端部に止めリング４を嵌着しているので、該部が補強され、分割可能なカバー部材が外れてしまうことはない。
【００２９】
続いて、１１は、本体ケース１２に内装したシリンダー錠であり、従来公知の機構を備え、先端には断面略方形に形成した回転軸１１ａを有する。このシリンダー錠１１は、図示しない特定の鍵によってのみ施錠及び解錠することができ、その状態に応じて回転軸１１ａが回転する。上述したように、この回転軸１１ａが開閉機構１０の方形凹部９ａに嵌入して開閉機構１０を回転させるのであるが、この回転軸１１ａには一部を切欠したカム板１３を装着し、回転軸１１ａの回転に従いこのカム板１３が本体ケース１２の先端に設けた係止突起１２ａによって係止されることで、開閉機構１０の回転角度が約９０度に規制されている。
【００３０】
次に、上記構成の本発明に係る盗難防止用施錠具の使用の態様及び作用について説明する。この盗難防止用施錠具には、通常、縛索部材取付具２の突出部分２ａに、強靱な紐やワイヤ、チェーンなどの縛索部材が取り付けてあり、これを展示台等の固定物に縛着固定できるようになっている。これにより、この施錠具を取り付けた各種機器は、持ち去ることができず盗難を未然に防止する。そのために、先ず、専用の鍵を用いて内装したシリンダー錠１１を解錠する。施錠状態では突出する鉤爪部材６、６は開いた状態である。鍵を回すとシリンダー錠１１の回転軸１１ａがカム板１３と係止突起１２ａに規制されつつ、９０度回転する。このとき、回転軸１１ａは開閉機構１０の方形凹部９ａに嵌入しているので、開閉機構１０が共回りして回転する。また、鉤爪部材６、６はカバー部材３の角穴３ａで回転が規制されている。そうすると、開閉機構１０の楕円環８が共に回転し、その楕円形状の長軸が鉤爪部材６、６の開閉方向に位置し、挿入されている鉤爪部材６、６の後端側がコイルばね７に付勢されて開き、鉤爪６ａを有する先端側は閉じることになる。この状態が、解錠状態である。
【００３１】
この解錠状態で、鉤爪部材６、６を機器の錠孔に挿入し、鍵を施錠方向に回転させる。そうすると、回転軸１１ａが先ほどと反対方向に回転するので開閉機構１０が同様に回転し、その楕円環８の楕円形状の短軸が鉤爪部材６、６の開閉方向に位置する。このとき、鉤爪部材６、６の後端側を内周部分８ａが押圧して、該部を閉じ、鉤爪６ａを有する先端側は開くことになる。これにより、鉤爪部材６、６の鉤爪６ｂは錠孔に係着し、容易に抜き出すことができなくなり、機器の盗難が防止できる。このとき、キャップ５に先端側に付勢するばねを内装しているので、鉤爪６ｂとキャップ５で機器の錠孔部分を挟定するようになり、該部のがたつきを防止する。
【００３２】
機器から取り外す場合は、取り付け時と同じように鍵を解錠方向に回すと鉤爪部材６、６の先端側が閉じるので、そのまま抜き出せばよい。
【００３３】
このように、本発明に係る盗難防止用施錠具は、鍵の回転と鉤爪部材の開閉が連動しているので、極めて簡単な操作で、確実に錠孔に係着させることができる。この場合、鉤爪部材６、６の開閉動作は楕円環８の楕円形状の短軸と長軸を利用して行うようにしたので、極めて簡単な構成で開閉動作を行うことができる。
【００３４】
また、鉤爪部材６、６は一対のくの字形状の棒状体で構成するので、従来のように薄板で構成するものと異なり、極めて頑健で容易に破損することがない。また、その大きさは錠孔やカバー部材３の角穴３ａとほぼ同じ大きさであるので、該部に間隙が生じることがなく、汚れ等の侵入を防止でき、その動作を阻害することがない。
【符号の説明】
【００３５】
１    施錠具本体
１ａ  鍵穴
２    縛索部材取付具
２ａ  突出部分
３    カバー部材
３ａ  角穴
３ｂ  軸受部
４    止めリング
５    キャップ
５ａ  挿通窓
６    鉤爪部材
６ａ  回動軸部
６ｂ  鉤爪
７    コイルばね
８    楕円環
８ａ  内周部分
８ｂ  突条
９    楕円環保持具
９ａ  方形凹部
９ｂ  凹溝
１０    開閉機構
１１    シリンダー錠
１１ａ  回転軸
１２    本体ケース
１２ａ  係止突起
１３    カム板
【図１】
2010229724.tif 000003
【図２】
2010229724.tif 000004
【図３】
2010229724.tif 000005
【図４】
2010229724.tif 000006
【図５】
2010229724.tif 000007
【図６】
2010229724.tif 000008